(57)【要約】【課題】  手摺ベルトの表面に、この手摺ベルトの移動方向を見易く表示し、もって転倒事故等を防止するとともに広告表示部の交換を容易としたエスカレーターの手摺ベルトを提供する。【解決手段】  手摺ベルト５の表面に、この手摺ベルト５と色を異にするとともに、その移動方向を表示する方向表示マーク６Ａ等を有する長尺シート６を貼付け、さらに長尺シート６の表面に広告類を表示した短尺シート６Ｂを貼付けて設けた。【選択図】図４
2009255993.tif 000002
【特許請求の範囲】
【請求項１】
往路から復路にかけて反転して移動し、表面平坦部と両縁部で形成される断面略Ｃ字形の手摺ベルトを備えたエスカレーターにおいて、前記手摺ベルトの表面に、この手摺ベルトの移動方向を表示する方向表示マークを、間隔をおいて印刷した長尺シートを貼付ける一方、この長尺シートの表面の前記方向表示マークの間隔内に、広告類を印刷した短尺シートを貼付けて設けたことを特徴とするエスカレーターの手摺ベルト。
【発明の詳細な説明】
【技術分野】
【０００１】  本発明は、移動する踏段が傾斜路あるいは水平路を形成して乗客輸送を行うエスカレーターの手摺ベルトの構成に関する。
【背景技術】
【０００２】  従来においてエスカレーターの手摺ベルト表面に印刷シートを貼付けて広告表示を行う構成は、たとえば特許文献１に開示されているように、既に提案されている。【０００３】  この特許文献１に記載のエスカレーターの手摺ベルトは、手摺ベルトの表面長手方向に広告のみを表示した長尺の印刷シートを貼付けた構成である。【０００４】
【特許文献１】特開２００３−２１２４６８号公報
【発明の開示】
【発明が解決しようとする課題】
【０００５】  上記特許文献１に記載のものは、それの出願時の特許請求の範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想は皆無であった。【０００６】  一方、最近のエスカレーター利用においては、利用者の高齢化もあって、エスカレーターの乗り場で動く踏段に乗り移る際の体重移動のタイミングを失して転倒する事故が多く発生している。これは、乗り移らんとして凝視する踏段の色が黒っぽい連続移動体の集合で、踏段の動き（速度）が認識できないことに起因している。また、エスカレーターの動き方向が認識できず、降り場側から逆乗り込みをしてしまう事象も発生している。さらに、上記特許文献１に記載の広告印刷のものは、単に文字や図柄を付したもので、手摺ベルトが動いていると文字や図柄があたかも一本の帯のように見えて方向表示の機能を発揮し難いという問題もあった。また、広告は広告主から広告料金をとって例えば３ヶ月間の掲出とか期間契約をするものであるが、期間満了と同時に長尺の印刷シート全てを取外すという大がかりな作業を必要としていた。【０００７】  本発明の目的は、手摺ベルトの表面にこの手摺ベルトの移動方向を示す方向表示部を印刷した長尺シートを貼付けて転倒事故を低減する構成とし、かつこの長尺シートを再利用する形でその表面に広告表示部を印刷した短尺シートを貼付けたエスカレーターの手摺ベルトを提供することにある。
【課題を解決するための手段】
【０００８】  本発明は上記目的を達成するために、往路から復路にかけて反転して移動し、表面平坦部と両縁部で形成される断面略Ｃ字形の手摺ベルトを備えたエスカレーターにおいて、前記手摺ベルトの表面に、この手摺ベルトの移動方向を表示する方向表示マークを、間隔をおいて印刷した長尺シートを貼付ける一方、この長尺シートの表面の前記方向表示マークの間隔内に、広告類を印刷した短尺シートを貼付けて設けたのである。【０００９】  このように手摺ベルトの表面の長尺シートに、その移動方向を表示する一定間隔の方向表示マークを設けたことによって、エスカレーターに乗り込まんとする利用者（乗客）が、手摺ベルト反転部の正面方向からエスカレーターの移動速度と方向が視覚的に認知できて、結果として踏段への乗り込みタイミング取りが容易となり、かつ逆乗り込み防止に役立つという安全性に優れた構成となる。また、方向表示マークの間隔内に設けた広告表示部は、短尺シートであるために広告の契約期間満了時に簡単に除去できる作業効率面の利点と、ベースとなる長尺シートは貼ったままの状態で上記安全効果を継続しつつ、別の広告表示部を印刷した短尺シートに交換することにより広告収入増を図ることができる。
【発明の効果】
【００１０】  本発明によれば、エスカレーターへの乗り込みタイミング取りの失敗による転倒事故の防止と、逆乗り込みの防止効果に加えて、広告表示内容の変更容易化（広告収入増）の効果も発揮することができる。
【発明を実施するための最良の形態】
【００１１】  以下、本発明によるエスカレーターの手摺ベルトの一実施の形態を図１〜図４に示すエスカレーターに基づいて説明する。【００１２】  一般のエスカレーター１は、上階床２Ａと下階床２Ｂに装架される主フレーム３と、無端状に連結されて往路から復路にかけて反転して移動する多数の踏段４と、この踏段４と同期して往路から復路にかけて反転して移動するものでその断面形状が表面平坦部５Ａとこれに連なる両側の両縁部５Ｂとで略Ｃ字形をなす幅Ｗ１の手摺ベルト５と、この手摺ベルト５の長手方向に沿い、その表面平坦部５Ａから両縁部５Ｂにかけて接着固定（図示省略）される長尺シート６が設けられている。この長尺シート６は、通常手摺ベルト５の全長に対して１枚の長物か分割した場合でも数メートルの長さをもって接着固定されるものである。【００１３】  前記手摺ベルト５は、駆動歯車７の動力をチェーン８を介して駆動ローラ９等に伝達された動力によって摩擦駆動されるもので復路を案内ローラ１０、往路を欄干１１に案内され反転部１１Ａ，１１Ｂで折り返して移動する構成となっている。【００１４】  また、長尺シート６は手摺ベルト５の全長に貼付けられるとともに、その表面層には移動方向を表示する方向表示マーク６Ａが、目立ち易いように表面平坦部５Ａに幅Ｗ２をもって印刷によって設けられている。一方、両縁部５Ｂ部分には、方向表示マーク６Ｃが印刷によって設けられている。そして、これら別々に設けられた方向表示マーク６Ａ，６Ｃは、手摺ベルト５の反転部の半円周範囲Ｈ（図１，図２）内に少なくても１個存在する間隔ＰａおよびＰｂ（図４）をおいて複数個配置されており、いま乗り込まんとする利用者（乗客）がエスカレーター１を見ると正面と側面となる符号Ｈの範囲内に１個存在する方向表示マーク６Ａ，６Ｃにより移動速度の速度感と動き方向を確実に視覚に訴えるという作用を発揮するものである。さらに、特に両縁部５Ｂの方向表示マーク６Ｃの存在により、エスカレーター周辺の側方からでも移動速度と移動方向が視覚的に認知できて乗客の乗り込み易さを向上させるものである。加えて、方向表示マーク６Ａおよび６Ｃは、印刷シート６の地色とは色が異なり（例えば黄色）、そのマークも図示に例示した菱形に限らず大き目の矢印、三角印、小判印などでも不都合はない。また、間隔ＰａとＰｂは必要に応じて適宜設定されるものである。【００１５】  さらに、本発明では長尺シート６の表面平坦部５Ａに短尺シート６Ｂが矢印Ｚ（図４）のように重ねて貼付けられている。この短尺シート６Ｂは、その表面に商業的広告（商品、ビル内案内等）やエスカレーターの安全な利用を促す文字や模様等広告類を印刷した幅Ｗ３の広告表示部６ＢＢを有し、これが比較的短い寸法であって貼付け、取外しが容易なものとなっている。【００１６】  ここで、長尺シート６および短尺シート６Ｂの詳細は、おのおの接着層、印刷が施されるシート層に加え、表面のラミネート層などで形成される。【００１７】  以上説明したように、本実施形態によれば、エスカレーターの正面と側方の両方から手摺ベルト５の移動方向を見易く表示し、もってエスカレーターでの転倒事故防止、逆乗り等の防止、サービスの向上とともに広告表示部の交換���容易となる効果がある。【００１８】  なお、上記実施の形態は、一般のエスカレーターを一例に説明したが、隣接踏段同士に段差を有しない動く歩道と通称されるエスカレーターにもそのまま適用することができる。
【図面の簡単な説明】
【００１９】
【図１】本発明によるエスカレーターの手摺ベルトの一実施の形態を示す全体側面図。
【図２】本発明の図１のＸ−Ｘ線に沿う正面図。
【図３】本発明の図２のＹ−Ｙ線に沿う断面図。
【図４】本発明の印刷シートの概念的な単体斜視図。
【符号の説明】
【００２０】１…エスカレーター，４…踏段，５…手摺ベルト，５Ａ…表面平坦部
５Ｂ…両縁部，６…長尺シート
６Ａ…方向表示マーク，６Ｂ…短尺シート，６Ｃ…方向表示マーク
【図１】
2009255993.tif 000003
【図２】
2009255993.tif 000004
【図３】
2009255993.tif 000005
【図４】
2009255993.tif 000006